(57)【要約】【課題】本発明は、簡略な構成で施工性のよい耐震壁、及び耐震壁構造体の構築方法を提供する。【解決手段】鉄筋コンクリート造の柱２と大梁４から構成されるラーメン架構よりなる構造物１は、前記大梁４と交差する方向で対をなす柱２どうしを連結するように配される耐震壁６を備えている。耐震壁６の両側面で大梁４とのパネルゾーン１７と隣り合う高さ位置に、取り合い部に一般に用いられる接合用の鉄筋等を突出させることなく耐震壁６と大梁４とは一体化を図ることを目的に、コンクリート粗面６ａが形成されている。  また、耐震壁６には、対をなす柱２を連結する壁梁１１が備えられており、その高さ位置は、対をなす柱２の天端よりも下方に配置されている。これにより、柱２と大梁４とのパネルゾーン１７には、耐震壁６に係る配筋が存在しない構成となっている。【選択図】  図１
2004190228.tif 000002
【特許請求の範囲】
【請求項１】
鉄筋コンクリート造の柱と大梁とを備えるラーメン架構の構造物に備えられ、前記大梁に交差し、対をなす柱どうしを連結するように配される耐震壁であって、
該耐震壁の両側端面各々には、前記柱と大梁とのパネルゾーンを形成する高さ位置に、コンクリート粗面が設けられるとともに、
該耐震壁に備えられて、対をなす前記柱を連結する壁梁が、前記柱と大梁とのパネルゾーンより下方の高さ位置に配されることを特徴とする耐震壁。
【請求項２】
床スラブ上面から直上階の床スラブ下面に達する高さを有する耐震壁、及び該耐震壁の両側部に配置されるとともに、耐震壁と比較して高さの低い対をなす柱よりなり、所定の離間距離を持って平行に配置される複数の耐震壁構造体と、
前記柱の天端から直上階の床スラブ下面に達する梁成を有し、前記耐震壁に対して交差するように配され、隣り合う耐震壁構造体の向かい合う柱の上部どうしを連結する大梁とを備える構造物の耐震壁構造体の構築方法であって、
床スラブの上面に、前記耐震壁構造体を構成する柱の柱筋及び耐震壁の壁筋を配設して構造体配筋ユニットを構築し、これらを囲うようにコンクリート型枠を配置した後、
該構造体配筋ユニットの柱筋を埋設する高さまでコンクリートを打設する工程を、床スラブの上面に配された複数の構造体配筋ユニット各々に対して順次行い、前記コンクリートの硬化後、
複数の前記構造体配筋ユニット各々に対して、前記構造体配筋ユニットの壁筋を埋設する高さまで、再度コンクリートを打設することを特徴とする耐震壁構造体の構築方法。
【発明の詳細な説明】
【０００１】
【発明の属する技術分野】
本発明は、施工性を向上させる耐震壁と、該耐震壁及び該耐震壁の両側に配された対をなす柱よりなる耐震壁構造体の構築方法に関する。
【０００２】
【従来の技術】
従来より、高層もしくは超高層の鉄筋コンクリート造よりなり、耐震壁を備える構造物の構築に際し、コンクリート型枠の高転用を目的として各階の躯体施工をＶ部（柱、壁などの垂直部分）とＨ部（スラブなどの水平部分）に分けて施工するいわゆるＶＨ分離打設工法が一般に適用されている。しかし、このような構築方法では、壁梁が耐震壁の上部に一体的に構築されていることから、壁梁と大梁の設置高さがほぼ同様となるため、壁梁の主筋定着部が柱と大梁とのパネルゾーン内に存在することとなり、Ｖ部をなす耐震壁及び柱へのコンクリート打設後に行われるＨ部をなす大梁を構成する大梁鉄筋の組み立てに干渉することとなる。
このような現象に対処すべく、例えば、特許文献１では、柱間の耐震壁を壁梁まで構築して壁梁の主筋を柱内に挿通させるように配設するものの、柱上部に対向載置された大梁の下端筋は、前記壁梁を構成する主筋の定着部を挟んで柱の中心線より手前で折り曲げるように配筋する構成等が考案されている。
【０００３】
【特許文献１】
特開平６−４２０３７号公報（第４図参照）
【０００４】
【発明が解決しようとする課題】
しかし、上述する構成では、壁梁を構成する主筋の定着部が柱と大梁とのパネルゾーン内に残存するため、耐震壁及び柱へのコンクリート打設時に、コンクリートのスムースな打設の妨げになる場合が多い。また、前記耐震壁を構成する壁配筋の定着部も柱と大梁とのパネルゾーン内に存在するため、耐震壁及び柱へのコンクリート打設後に行われる大梁を構成する梁鉄筋の組み立てに干渉することとなる。
【０００５】
上記事情に鑑み、本発明は、簡略な構成で施工性のよい耐震壁、及び耐震壁構造体の構築方法を提供することを目的としている。
【０００６】
【課題を解決するための手段】
請求項１記載の耐震壁は、鉄筋コンクリート造の柱と大梁とを備えるラーメン架構の構造物に備えられ、前記大梁に交差し、対をなす柱どうしを連結するように配される耐震壁であって、該耐震壁の両側端面各々には、前記柱と大梁とのパネルゾーンを形成する高さ位置に、コンクリート粗面が設けられるとともに、該耐震壁に備えられて、対をなす前記柱を連結する壁梁が、前記柱と大梁とのパネルゾーンより下方の高さ位置に配されることを特徴としている。
【０００７】
請求項２記載の耐震壁構造体の構築方法は、床スラブ上面から直上階の床スラブ下面に達する高さを有する耐震壁、及び該耐震壁の両側部に配置されるとともに、耐震壁と比較して高さの低い対をなす柱よりなり、所定の離間距離を持って平行に配置される複数の耐震壁構造体と、前記柱の天端から直上階の床スラブ下面に達する梁成を有し、前記耐震壁に対して交差するように配され、隣り合う耐震壁構造体の向かい合う柱の上部どうしを連結する大梁とを備える構造物の耐震壁構造体の構築方法であって、床スラブの上面に、前記耐震壁構造体を構成する柱の柱筋及び耐震壁の壁筋を配設して構造体配筋ユニットを構築し、これらを囲うようにコンクリート型枠を配置した後、該構造体配筋ユニットの柱筋を埋設する高さまでコンクリートを打設する工程を、床スラブの上面に配された複数の構造体配筋ユニット各々に対して順次行い、前記コンクリートの硬化後、複数の前記構造体配筋ユニット各々に対して、前記構造体配筋ユニットの壁筋を埋設する高さまで、再度コンクリートを打設することを特徴としている。
【０００８】
【発明の実施の形態】
本発明の耐震壁、及び耐震壁構造体の構築方法は、耐震壁に内包される壁梁を前記柱のパネルゾーンより下方に配置するとともに、耐震壁の両側端面における柱のパネルゾーンとの取り合い部には、一般に用いられる接合用の鉄筋等を突出させることなく、耐震壁と大梁との一体化を図るためのコンクリート粗面が形成されることにより、柱と大梁とのパネルゾーン内の配筋を簡略化するとともに、該耐震壁と該耐震壁の両側部に備えられた対をなす柱よりなる耐震壁構造体の施工性を向上するものである。
【０００９】
図１に示すように、鉄筋コンクリート造の柱２と大梁４から構成されるラーメン架構よりなる構造物１は、前記大梁４と交差する方向で対をなす柱２どうしを連結するように配される耐震壁６を備えている。
該耐震壁６の両側面に位置する対をなす柱２は、柱主筋３ａ及び帯筋３ｂよりなる柱筋３をコンクリート１６で埋設した鉄筋コンクリート造によりなり、床スラブ１８の上面に配置されている。その高さは、前記耐震壁６よりも低く、柱２の天端と図示しない直上階の床スラブの下面との間に、所望の大きさの梁成を備える大梁４を配置できる高さに構築されている。
【００１０】
一方、前記耐震壁６は、地震時の水平荷重に対して効果的に抵抗し、前記柱２や大梁４への水平力の負担を軽減するものであり、床スラブ１８の上面から直上階の床スラブの下面に達する高さを有している。このような耐震壁６は、前記柱２や大梁４と同様に、鉄筋コンクリート造により構成されており、耐震壁６を構成する壁筋７が、壁横筋８と壁縦筋９をメッシュ状に配筋したメッシュユニット７ａを、所定の離間間隔を設けて平行に対をなして配置することにより構成されて、コンクリート１６により埋設されている。
なお、図２に示すように、前記柱２と隣り合う高さ位置に配された壁横筋８の端部には、柱２の内方に突出するように、柱接続筋１９が固着手段を介して固着されている。
また、柱２の天端より上方で大梁４とのパネルゾーン１７と隣り合う高さ位置の耐震壁６の両端面には、図１に示すように、取り合い部に一般に用いられる接合用の鉄筋等を突出させることなく鉄筋コンクリート造の大梁４との接合強度を向上することを目的に、コンクリート粗面６ａが形成されている。なお、コンクリート粗面６ａは、コンクリート打設時に粗面形成用の型枠を用いる構成や、コンクリート硬化後にいわゆるコッターを設ける構成等、表面にコンクリートの定着を向上させるような粗面が形成される構成であれば、何れの手段を用いてもよい。
【００１１】
ところで、図１に示すように、該耐震壁６には、前記柱２上方のパネルゾーン１７より下方の高さ位置に、対をなす柱２を連結する壁梁１１が備えられている。したがって、図２に示すように、前記メッシュユニット７ａの対をなす柱２の天端よりも下方で、中間部の高さ位置には、複数の壁梁主筋１２ａ、及び該壁梁主筋１２ａに交差しこれらを内包するように配される複数のあばら筋１２ｂが一体的に配設されており、該メッシュユニット７ａを、所定の離間間隔を設けて平行に対をなして配置することにより、壁筋７に前記壁梁１１を構成する壁梁筋１２が形成される構成となっている。なお、本実施の形態において、該壁梁筋１２の高さ位置は、対をなす柱２の上部近傍に配されているが、必ずしもこれにこだわるものではなく、柱２の天端よりも下方であれば、何れの高さ位置に設ける構成としてもよい。
【００１２】
上述する構成よりなる耐震壁６と対をなす柱２は、両者の取り合い部に跨るように配された柱接続筋１９がコンクリート１６に埋設されるとともに、壁筋７の内方に備えられた壁梁筋１２の壁梁主筋１２ａも、端部を柱２の内方に突出された状態でコンクリート１６に埋設されることにより一体化され、Ｖ部（躯体の垂直部）となる耐震壁構造体１３を構成することとなる。
また、本発明の実施の形態において、耐震壁６は、集合住宅として利用される構造物１の戸境壁として用いられており、該耐震壁構造体１３は、構造物１の階層毎に、所定の離間間隔を持って平行に複数設けられている。これら隣り合う耐震壁構造体１３どうしは、向かい合う柱２の上部に大梁４が架け渡されることにより連結されている。該大梁４は、先にも述べたように耐震壁６と交差して柱２の上面に配されており、耐震壁６の両側面に形成されたコンクリート粗面６ａに鉄筋コンクリート造よりなる大梁４のコンクリートが十分に定着することにより、耐震壁６と大梁４とは一体化が図られることとなる。
【００１３】
このように、該耐震壁６は、その両側部で前記柱２の天端より上方に位置するパネルゾーン１７に、壁筋７の壁横筋８及び壁梁筋１２の壁梁主筋１２ａを突出させることはないため、柱２及び耐震壁６より構成される耐震壁構造体１３へのコンクリート打設時の障害となることがないとともに、パネルゾーン１７に前記大梁４を構成する大梁筋５を配設する際にも柱筋３以外に抵触するものがないため、施工性を向上できるものである。
また、大梁４は、耐震壁６の両側面に形成されたコンクリート粗面６ａに十分に定着されるため、取り合い部に一般に用いられる接合用の鉄筋等を突出させることなく耐震壁６と大梁４とは一体化を図ることが可能となる。
【００１４】
このような耐震壁構造体１３、及び隣り合う耐震壁構造体１３を連結する大梁４を備えた構造物１における耐震壁構造体１３の構築方法を以下に示す。
【００１５】
まず、図３（ａ）に示すように、施工途中の構造物１で最上階に位置する階層の床スラブ１８の上面に、前記耐震壁構造体１３を構成する柱２の柱筋３及び耐震壁６の壁筋７を配設して構造体配筋ユニット１０を複数構築し、これら各々をを囲うようにコンクリート型枠１４を配置する。
前記耐震壁６の壁筋７は、壁横筋８と壁縦筋９をメッシュ状に配筋し、所望位置に壁梁筋１２を構成する壁梁主筋１２ａ及びあばら筋１２ｂを配設したメッシュユニット７ａをあらかじめ工場等において製作しておき、これを現場に搬入後、床スラブ１８の上面で所望の位置に対をなして配設する。これに伴い、耐震壁６を構成する壁梁７に備えられる壁梁筋１２も同時に構築される。この後、前記柱２の柱筋３を、構造体配筋ユニット１０の両側部各々に配設し、該柱筋３の内方に突出するように、メッシュユニット７ａを構成する壁横筋８の端部に、柱接続筋１９を固定手段を介して固定する。
【００１６】
このとき、柱筋３より上方に位置するメッシュユニット１０を構成する壁横筋８の端部には、仕上がりの耐震壁６の両側面にコンクリート粗面６ａを形成させるための粗面形成型枠１５を取り付けておく。この後、柱筋３及び壁筋７を覆うように、コンクリート型枠１４を配置する。
なお、本実施の形態において、コンクリート型枠１４には、工場等で製作された既製パネルを現場で組み立てるのみで用いることのできるシステム型枠を用いている。また、必ずしも粗面形成型枠１５を設置する必要はなく、コンクリート硬化後にいわゆるコッターを設ける作業を実施してもよい。
【００１７】
次に、図３（ｂ）に示すように、前記コンクリート型枠１４の内方に、前記柱筋３を埋設する高さまでコンクリート１６を打設する工程を、床スラブの上面に配された複数の構造体配筋ユニット１０各々に対して順次行う。
これにより、前記構造体配筋ユニット１０のうち、前記柱筋３及び壁梁筋１２の両者へのコンクリート１６の打設が終了したこととなる。
この後、これらコンクリート１６が硬化した後に、図４（ａ）に示すように、複数の前記構造体配筋ユニット１０に設けられた該コンクリート型枠１４の内方に、前記壁筋７の埋設する高さまで、再度前記コンクリート１６を順次打設する。
これにより、壁梁７へのコンクリート１６の打設も終了したこととなり、構造体配筋ユニット１０へのコンクリート１６の打設が、２段階の工程を経て終了したこととなる。
【００１８】
このように、１ユニットずつ耐震壁構造体１３を構築するのではなく、作業を分割し、１つの階層に配される複数の耐震壁構造体１３を同時に構築する方法は、耐震壁構造体１３の柱２が耐震壁８に比べて天端レベルを低く構成されているため、構造体配筋ユニット１０に対して、柱筋３を埋設する高さを天端とするコンクリート１６が硬化しないままに、壁筋７を埋設する高さまでコンクリート１６を打設すると、柱筋３を埋設したコンクリート１６がコンクリート型枠１４より吹き出す現象が生じやすい。したがって、柱筋３を埋設する高さを天端とするコンクリート１６が硬化するまでの時間を利用して、他の構造体配筋ユニット１０に対して、同様の作業を平行して行うことにより、時間を有効に利用しながら、柱筋３を埋設したコンクリート１６がコンクリート型枠１４より吹き出す現象を防止することができるものである。
【００１９】
なお、平行して構築する耐震壁構造体１３の数量は、隣り合う２体に対して順次行う方法や、同じ階層に構築する予定の複数の耐震壁構造体１３に対して順次行う方法等、コンクリート型枠１４の数量に応じて何れを用いてもよい。
【００２０】
また、前記構造物１は、これらコンクリート１６が硬化し、耐震壁構造体１３が構築された後、コンクリート型枠１４及び粗面形成型枠１５を解体し、図４（ｂ）に示すように、前記耐震壁構造体１３を構成する柱２の上部で隣り合う耐震壁構造体１３を連結するように大梁４を構成する大梁筋５を配設し、図示しないコンクリート型枠を配置した上でコンクリート１６を打設して大梁４を構築するとともに、図示しない上階の床スラブを構築する工程を各階層ごとで繰り返すことにより、構築するものである。
【００２１】
上述する構成によれば、前記耐震壁６は、耐震壁６に内包されている壁梁７の壁梁筋１２の端部が、柱２上方のパネルゾーン１７を抵触することがないため、壁筋７と柱筋３を備える構造体配筋ユニット１０へのコンクリート１６の打設時に、障害となるものがなく、スムーズに打設することが可能となる。また、大梁４を構成する大梁筋５の構築に際し、パネルゾーン１７には柱筋３以外に抵触する配筋が存在しないため、作業が容易で施工性がよく、工期短縮に大きく寄与することができる。
また、耐震壁６の両側面にはコンクリート粗面６ａが形成されるため、大梁４と耐震壁６との取り合い部に一般に用いられる接合用の鉄筋等を突出させることなく、耐震壁６と大梁４との接合強度は十分に確保されており、容易に一体化を図ることが可能となる。
【００２２】
前記柱２と耐震壁６を備えた耐震壁構造体１３の構築方法は、前記柱筋３を埋設する高さまで前記コンクリート１６を打設する工程を、壁筋７と柱筋３を備える複数の構造体配筋ユニット１０に順次行い、コンクリート１６が硬化した後に、壁筋７の埋設する高さまで再度、コンクリート１６を構造体配筋ユニット１０に順次打設することから、柱筋３を埋設する高さを天端としたコンクリート１６が硬化するまでの時間に、柱筋３を埋設する高さを天端としたコンクリート１６がコンクリート型枠１４より吹き出すことを防止しながら、他の構造体配筋ユニット１０へのコンクリート１６の打設作業を平行して行えるため、平行作業による工期短縮を図ることが可能となる。
【００２３】
また、前記耐震壁６は、あらかじめ工場等で製作したメッシュユニット１０を、現場に搬入し配置するのみでよいため、耐震壁６の配筋を単純化することができ、工費削減、工期短縮に大きく寄与できるものである。
さらに、耐震壁構造体１３の構築に用いるコンクリート型枠１４に、セパレータを用いないものや、コンクリート型枠１４の足下位置決めアングルにセパレータ機能を持たせたもの等、組み立て及び脱型に要する時間を短縮できる耐震壁用の型枠を採用すれば、より工期短縮に寄与することが可能となる。
【００２４】
【発明の効果】
請求項１記載の耐震壁によれば、鉄筋コンクリート造の柱と大梁とを備えるラーメン架構の構造物に備えられ、前記大梁に交差し、対をなす柱どうしを連結するように配される耐震壁であって、該耐震壁の両側端面各々には、前記柱と大梁とのパネルゾーンを形成する高さ位置に、コンクリート粗面が設けられるとともに、該耐震壁に備えられて、対をなす前記柱を連結する壁梁が、前記柱と大梁とのパネルゾーンより下方の高さ位置に配されることから、柱筋及び壁筋へのコンクリートの打設時に、障害となるものがなく、スムーズに打設することが可能となる。また、大梁を構成する大梁筋の構築に際し、パネルゾーンには柱筋以外に抵触する配筋が存在しないため、作業が容易で施工性がよく、工期短縮に大きく寄与することができる。
また、耐震壁の両側面にはコンクリート粗面が形成されるため、大梁と耐震壁との取り合い部に一般に用いられる接合用の鉄筋等を突出させることなく、耐震壁と大梁との接合強度は十分に確保されており、容易に一体化を図ることが可能となる。
【００２５】
請求項２記載の耐震壁構造体の構築方法によれば、床スラブ上面から直上階の床スラブ下面に達する高さを有する耐震壁、及び該耐震壁の両側部に配置されるとともに、耐震壁と比較して高さの低い対をなす柱よりなり、所定の離間距離を持って平行に配置される複数の耐震壁構造体と、前記柱の天端から直上階の床スラブ下面に達する梁成を有し、前記耐震壁に対して交差するように配され、隣り合う耐震壁構造体の向かい合う柱の上部どうしを連結する大梁とを備える構造物の耐震壁構造体の構築方法であって、床スラブの上面に、前記耐震壁構造体を構成する柱の柱筋及び耐震壁の壁筋を配設して構造体配筋ユニットを構築し、これらを囲うようにコンクリート型枠を配置した後、該構造体配筋ユニットの柱筋を埋設する高さまでコンクリートを打設する工程を、床スラブの上面に配された複数の構造体配筋ユニット各々に対して順次行い、前記コンクリートの硬化後、複数の前記構造体配筋ユニット各々に対して、前記構造体配筋ユニットの壁筋を埋設する高さまで、再度コンクリートを打設することから、柱筋を埋設する高さを天端としたコンクリートが硬化するまでの時間に、柱筋を埋設する高さを天端としたコンクリートがコンクリート型枠より吹き出すことを防止しながら、他の構造体配筋ユニットへのコンクリートの打設作業を平行して行えるため、平行作業による工期短縮を図ることが可能となる。
【図面の簡単な説明】
【図１】本発明に係る耐震壁を備えた構造物の概略を示す図である。
【図２】本発明に係る柱筋、壁筋、及び壁梁筋の詳細を示す図である。
【図３】本発明に係る耐震壁構造体の構築方法（その１）を示す図である。
【図４】本発明に係る耐震壁構造体の構築方法（その２）を示す図である。
【符号の説明】
１  構造物
２  柱
３  柱筋
３ａ  柱主筋
３ｂ  帯筋
４  大梁
５  大梁筋
６  耐震壁
６ａ  コンクリート粗面
７  壁筋
７ａ  メッシュユニット
８  壁横筋
９  壁縦筋
１０  構造体配筋ユニット
１１  壁梁
１２  壁梁筋
１２ａ  壁梁主筋
１２ｂ  あばら筋
１３  耐震壁構造体
１４  コンクリート型枠
１５  粗面形成型枠
１６  コンクリート
１７  パネルゾーン
１８  床スラブ
１９  柱接続筋
【図１】
2004190228.tif 000003
【図２】
2004190228.tif 000004
【図３】
2004190228.tif 000005
【図４】
2004190228.tif 000006